(57)【要約】【課題】  設計が容易で、且つ色度差を生じさせることなく輝度ムラを抑制できる照明装置、及び、そのような照明装置をバックライト装置として備える液晶表示装置を提供する。【解決手段】  照明装置は、拡散板の直下に配設され相互に平行に延在する複数のランプを備え、ランプからの光を拡散板を介して出射する。隣接する２本のランプ間に該２本のランプと離隔して配設される反射壁２１を備え、反射壁２１は、ランプの延在方向と直交して配設され反射率が９７％である反射面４３ａを備える。【選択図】  図４
2006114366.tif 000002
【特許請求の範囲】
【請求項１】
少なくとも１枚の拡散板の下に配設され相互に平行に延在する複数の発光部を備え、該発光部からの光を前記拡散板を介して出射する照明装置において、
隣接する２つの発光部の間に、該２つの発光部と離隔して配設される反射部材を備え、該反射部材は、前記発光部の延在方向と交差する方向に延在する反射面を備えることを特徴とする照明装置。
【請求項２】
前記反射面は、前記反射部材の表裏にそれぞれ形成された表裏の反射面から構成される、請求項１に記載の照明装置。
【請求項３】
前記照明装置は、前記発光部を介して前記拡散板と対向する位置に背面反射板を備え、該背面反射板上に前記反射部材の底部が取り付けられる、請求項２に記載の照明装置。
【請求項４】
前記反射部材は、一方の面に接着剤が塗布され他方の面が前記反射率を有する板状片から形成されており、前記反射面は、前記一方の面が内側に前記他方の面が外側になるように折り曲げて形成された板状片部分からなり、前記底部は、該反射面を構成する板状片部分からそれぞれ延長し前記一方の面が前記背面反射板に接着された一対の板状片部分からなる、請求項３に記載の照明装置。
【請求項５】
前記反射部材の厚みが１ｍｍ以下である、請求項４に記載の照明装置。
【請求項６】
前記反射面は、前記隣接する２つの発光部間の中心を結ぶ面上で該双方の発光部の中心から等距離にある中心線位置で最も窪んでおり、前記隣接する２つの発光部の中心から等距離にある平面に関して面対称に形成されている、請求項２又は３に記載の照明装置。
【請求項７】
前記反射面は、前記中心線位置で交差する２つの平面で形成される、請求項６に記載の照明装置。
【請求項８】
前記反射面が略円筒状の凹面である、請求項６に記載の照明装置。
【請求項９】
前記表裏の反射面は、該反射面の側縁から該反射面と平行方向に見ると、二等辺三角形の等辺を構成する、請求項２、３、６〜８の何れか一に記載の照明装置。
【請求項１０】
前記表裏の反射面は、該反射面の頂部から見ると、中央部分が相互に平行であり、双方の側縁で鋭角に交わる、請求項２、３、６〜９の何れか一に記載の照明装置。
【請求項１１】
前記表裏の反射面は、双方の側縁に隣接する部分で底部から頂部に向かって幅が狭くなる、請求項１０に記載の照明装置。
【請求項１２】
前記反射面は光散乱性を有する、請求項１〜１１の何れか一に記載の照明装置。
【請求項１３】
１つの発光部を挟んで隣接する反射部材が、それぞれ単独の部材として形成される、請求項１〜１２の何れか一に記載の照明装置。
【請求項１４】
複数の前記反射部材が、前記発光部の延在方向に所定ピッチで離隔する列となって配設される、請求項１３に記載の照明装置。
【請求項１５】
１つの発光部を挟んで隣接する反射部材の列が、互いにジグザグに配設される、請求項１４に記載の照明装置。
【請求項１６】
１つの発光部を挟んで隣接する反射部材が連続した１つの部材として形成される、請求項１〜１２の何れか一に記載の照明装置。
【請求項１７】
前記反射部材の反射面が９０％以上の反射率を有する、請求項１〜１６の何れか一に記載の照明装置。
【請求項１８】
液晶表示装置の片面型バックライト装置として構成される、請求項１〜１７の何れか一に記載の照明装置。
【請求項１９】
液晶表示装置の両面型バックライト装置として構成される、請求項１又は２に記載の照明装置。
【請求項２０】
請求項１〜１７の何れか一に記載の照明装置をバックライト装置として備えることを特徴とする液晶表示装置。
【請求項２１】
少なくとも１枚の拡散板の直下に配設される複数の発光部を該発光部の延在方向に整列して備える照明装置において、
隣接する２つの発光部の双方の隣接する端部に隣接し、前記発光部の延在方向と交差する方向に延在する反射面を有する反射部材を備えることを特徴とする照明装置。
【請求項２２】
請求項２１に記載の照明装置を有する液晶表示装置。
【請求項２３】
少なくとも１枚の拡散板の直下に配設され相互に平行に延在する複数のランプを備え、該ランプからの光を前記拡散板を介して出射する照明装置において、
隣接する２本のランプ間に、該２本のランプと離隔して配設される反射部材を備え、該反射部材は、前記ランプの延在方向と実質的に直交方向に延在する反射面を備えることを特徴とする照明装置。
【発明の詳細な説明】
【技術分野】
【０００１】
本発明は、照明装置及び液晶表示装置に関し、更に詳しくは、液晶表示装置のバックライト装置として特に好適に使用される照明装置、及び、そのような照明装置を備える液晶表示装置に関する。
【背景技術】
【０００２】
液晶表示装置に使用されるバックライト装置には、大別して、直下型と、エッジライト型（導光体型）の２つのタイプがある。直下型のバックライト装置では、発光面の直下に複数の光源（ランプ）が配置されており、エッジライト型のバックライト装置に比して、高い輝度を簡易に得ることができ、大画面液晶表示装置に用いられている。
【０００３】
図２１に片面表示方式の直下型バックライト装置の構成について、各構成部分を展開して示す。図２２は、図２１の直下型バックライト装置をXXII−XXII線で切った断面で示している。バックライト装置６０は、反射板１１と、反射板１１上に配設されたランプ部１２を備える。ランプ部１２は、相互に平行に延在する複数のランプ１３と、ランプ１３の一端に接続されたインバータ１４と、ランプ１３の他端に接続されたリターン基板１５と、一端が反射板１１の外側を経由してリターン基板１５に接続され、他端が接地されるリターンケーブル１６とを備える。反射板１１の表面は、例えば反射率が９５％の散乱反射性を有するように加工されている。
【０００４】
ランプ部１２上にはランプ支持台１７が配設される。ランプ支持台１７は、ランプ１３を収容できる大きさの複数の切欠き１７ａを備え、各切欠き１７ａの部分でランプ１３を支持する。ランプ支持台１７上には、拡散板１８及び光学シート１９が順次に配設される。光学シート１９は、拡散シートやレンズシート、或いはＤＢＥＦ（輝度上昇フィルム）から構成される。光学シート１９上に、バックライト装置の発光面２０ａを区画するバックライトシャーシ２０が配設される。
【０００５】
拡散板１８とランプ１３の中心との間の距離は、例えば１０ｍｍ程度に設定され、隣接する２本のランプ１３間の距離は、例えば２０ｍｍ程度に設定される。ランプ１３から出射した光は直接に、或いは反射板１１で反射して拡散板１８に入射する。拡散板１８に入射した光は拡散板１８によって拡散され、光学シート１９を経由した後、発光面２０ａから外部に向けて出射する。
【０００６】
液晶表示装置では、良好な表示品質を実現するために、バックライト装置の発光面が、高い輝度均一性を有することが要求される。ところが、直下型のバックライト装置では、図２３のグラフに示すように、ランプ１３直上の発光面２０ａで輝度が高く、隣接する２本のランプ１３間の中央６１付近の発光面２０ａで輝度が低いという輝度ムラの問題があった。近年、液晶表示装置の薄型化に伴い、バックライト装置を薄型化することが要請されている。しかし、輝度ムラはランプ１３と拡散板１８との距離に反比例するため、バックライト装置を薄型化すれば、ランプ１３と拡散板１８との距離が短くなり、輝度ムラが更に顕著になる。
【０００７】
発光面における輝度ムラを抑制するために、例えば、拡散板の裏面にドット印刷を施すことが出来る。ドット印刷は、拡散板の裏面に、ランプ直上において密度が最も大きく、且つランプ直上から遠ざかるに従って密度が小さくなるようにドットパターンを形成する技術であり、ランプ直上の拡散板に入射した光の一部を散乱反射させて、この領域における輝度を適度に低下させるものである。しかし、ドット印刷を行うと、ドット印刷に用いられるインク材料の反射特性によって、発光面に色度差が生じる問題があった。
【０００８】
上記問題に対して、特許文献１や特許文献２は、ドット印刷を行うことなく輝度ムラを抑制するバックライト装置を記載している。特許文献１のバックライト装置では、反射板を、隣接する２本のランプ間の中央付近で山状に突出形成し、且つ山状の部分を鏡面に形成している。また、特許文献２のバックライト装置では、反射板を波型の凹凸形状に形成し、凹凸形状の谷の部分にランプを配設している。これらのバックライト装置では、反射板が隣接する２本のランプ間の中央付近に多くの光を反射させることによって、この中央付近の輝度を高め、輝度ムラを抑制している。
【特許文献１】特開平４−２７５５２５号公報（図１）
【特許文献２】特開平１１−１２６５０５号公報（図２）
【発明の開示】
【発明が解決しようとする課題】
【０００９】
ところで、特許文献１、２のバックライト装置では、輝度ムラを抑制する最適な反射板の寸法は、ランプと拡散板との距離、ランプのピッチ、又はランプの径などのパラメータに応じて異なる。発光面の輝度分布は、例えばこれらのパラメータを用いたコンピュータ・シミュレーションによって調べることが出来るが、多くの手間と時間を要するものである。また、反射板の構造が複雑であるため、輝度ムラの程度を確認する目的で試作品を製造する際にも、多くの手間が必要であった。このように、特許文献１、２のバックライト装置は、設計が容易ではないという問題があった。
【００１０】
本発明は、上記に鑑み、設計が容易で、且つ色度差を生じさせることなく輝度ムラを抑制できる照明装置、及び、そのような照明装置をバックライト装置として備える液晶表示装置を提供することを目的とする。
【課題を解決するための手段】
【００１１】
上記目的を達成するため、本発明の第１の視点に係る照明装置は、少なくとも１枚の拡散板の下に配設され相互に平行に延在する複数の発光部を備え、該発光部からの光を前記拡散板を介して出射する照明装置において、
隣接する２つの発光部の間に、該２つの発光部と離隔して配設される反射部材を備え、該反射部材は、前記発光部の延在方向と交差する方向に延在する反射面を備えることを特徴としている。
【００１２】
また、本発明の第１の視点に係る液晶表示装置は、上記照明装置をバックライト装置として備えることを特徴としている。
【００１３】
本発明の第２の視点に係る照明装置は、少なくとも１枚の拡散板の直下に配設される複数の発光部を該発光部の延在方向に整列して備える照明装置において、
隣接する２つの発光部の双方の隣接する端部に隣接し、前記発光部の延在方向と交差する方向に延在する反射面を有する反射部材を備えることを特徴としている。
【００１４】
また、本発明の第２の視点に係る液晶表示装置は、上記照明装置を有することを特徴としている。
【００１５】
本発明の第３の視点に係る照明装置は、少なくとも１枚の拡散板の直下に配設され相互に平行に延在する複数のランプを備え、該ランプからの光を前記拡散板を介して出射する照明装置において、
隣接する２本のランプ間に、該２本のランプと離隔して配設される反射部材を備え、該反射部材は、前記ランプの延在方向と実質的に直交方向に延在する反射面を備えることを特徴としている。
【発明の効果】
【００１６】
本発明の第１の視点の照明装置によれば、隣接する２つの発光部間に配設された反射部材の反射面に発光部から入射した光は、反射面で反射された結果、反射部材の近傍の拡散板に照射される。このため、従来、輝度が低かった隣接する２つの発光部間の中央付近の発光面の輝度を効果的に高めることができ、薄型の照明装置においても、発光面の輝度ムラを効果的に抑制することが出来る。また、拡散板にドット印刷を施すことなく輝度ムラを抑制できるので、発光面における色度差の発生を防止することが出来る。「交差する方向」は、好ましくは、直交方向である。
【００１７】
本発明の第１の視点の照明装置の好適な実施態様では、前記反射面は、前記反射部材の表裏にそれぞれ形成された表裏の反射面から構成されることによって、発光面の輝度ムラをより効果的に抑制することが出来る。
【００１８】
本発明の第１の視点の照明装置の好適な実施態様では、前記照明装置は、前記発光部を介して前記拡散板と対向する位置に背面反射板を備え、該背面反射板上に前記反射部材の底部が取り付けられる。この場合、反射部材の反射面で反射された光の一部は、背面反射板で一旦反射された後に反射部材の近傍の拡散板に照射されるため、発光部間の中央付近の発光面の輝度を効果的に高めることができる。また、反射部材の寸法や配列の設計に際して、反射部材を除く他の構成部分の設計を完成させた後に、或いは既製の照明装置に対して、反射部材を配設することが出来る。従って、輝度ムラを効果的に抑制する反射部材の設計が容易になる。
【００１９】
本発明の第１の視点の照明装置の好適な実施態様では、前記反射部材は、一方の面に接着剤が塗布され他方の面が前記反射率を有する板状片から形成されており、前記反射面は、前記一方の面が内側に前記他方の面が外側になるように折り曲げて形成された板状片部分からなり、前記底部は、該反射面を構成する板状片部分からそれぞれ延長し前記一方の面が前記背面反射板に接着された一対の板状片部分からなる。この場合、容易に反射部材を形成することができる。この場合、好ましくは、前記反射部材の厚みが１ｍｍ以下であることによって、発光部から出射した光が反射部材の側縁によって遮られることを十分に抑制することが出来る。
【００２０】
本発明の第１の視点の照明装置の好適な実施態様では、前記反射面は、前記隣接する２つの発光部間の中心を結ぶ面上で該双方の発光部の中心から等距離にある中心線位置で最も窪んでおり、前記隣接する２つの発光部の中心から等距離にある平面に関して面対称に形成されている。この場合、反射部材に入射した光を、隣接する２つの発光部間の中央付近へより効率的に照射させることが出来る。また、前記反射面は、前記中心線位置で交差する２つの平面で形成されるものとすることができ、或いは、前記反射面が略円筒状の凹面であるものとすることも出来る。
【００２１】
本発明の第１の視点の照明装置の好適な実施態様では、前記表裏の反射面は、該反射面の側縁から該反射面と平行方向に見ると、二等辺三角形の等辺を構成する。この場合、反射部材に入射した光を、拡散板の方向へより効率的に反射させることが出来る。
【００２２】
本発明の第１の視点の照明装置の好適な実施態様では、前記表裏の反射面は、該反射面の頂部から見ると、中央部分が相互に平行であり、双方の側縁で鋭角に交わる。表裏の反射面が、双方の側縁で鋭角に交わることによって、発光部から出射した光が反射部材の側縁によって遮られることを防ぐことが出来る。この場合、更に好ましくは、前記表裏の反射面は、双方の側縁に隣接する部分で底部から頂部に向かって幅が狭くなるものとする。
【００２３】
本発明の第１の視点の照明装置の好適な実施態様では、前記反射面は光散乱性を有する。反射面が反射光を広い角度範囲に反射させることによって、発光面の輝度をより均一にすることが出来る。
【００２４】
本発明の第１の視点の照明装置では、１つの発光部を挟んで隣接する反射部材が、それぞれ単独の部材として形成されるものとすることが出来る。好ましくは、複数の前記反射部材が、前記発光部の延在方向に所定ピッチで離隔する列となって配設されることによって、隣接する２つの発光部間の中央付近の輝度を、発光面の全体に渡って均等に高めることが出来る。この場合、更に好ましくは、１つの発光部を挟んで隣接する反射部材の列が、互いにジグザグに配設される。この場合、１つの反射部材で反射された光が、発光部を挟んでその反射部材に隣接する反射部材の直上の拡散板の領域に照射されるため、反射部材の直上の発光面の輝度低下を抑制することが出来る。
【００２５】
本発明の第１の視点の照明装置では、１つの発光部を挟んで隣接する反射部材が連続した１つの部材として形成されるものとすることも出来る。この場合、反射部材を照明装置に取り付ける際の工数を少なくすることが出来る。本発明の第１の視点の照明装置では、好適には、前記反射部材の反射面が９０％以上の反射率を有することによって、隣接する２つの発光部間の中央付近の発光面の輝度をより効果的に高めることが出来る。
【００２６】
本発明の第１の視点の照明装置では、照明装置が、液晶表示装置の片面型バックライト装置として構成されるものとすることができ、或いは、液晶表示装置の両面型バックライト装置として構成されるものとすることが出来る。
【００２７】
本発明の第１の視点の液晶表示装置によれば、上記本発明の第１の視点の照明装置を備えることによって、液晶表示装置の表示面における輝度ムラを抑制し、高い輝度均一性を有する画面表示を行うことが出来る。
【００２８】
本発明の第２の視点の液晶表示装置によれば、隣接する２つの発光部の双方の隣接する端部に隣接して配設された反射部材の反射面に発光部から入射した光は、反射された結果、反射部材の近傍の拡散板に照射される。このため、従来、輝度が低かった隣接する２つの発光部の双方の隣接する端部付近の発光面の輝度を効果的に高めることが出来る。本発明の第２の視点の液晶表示装置によれば、本発明の第２の視点の照明装置を備えることによって、液晶表示装置の表示面における輝度ムラを抑制し、高い輝度均一性を有する画面表示を行うことが出来る。
【００２９】
なお、本発明で「複数の発光部」とは、１本のランプが複数の発光部分を含む場合と、各発光部がそれぞれ一本のランプに相当する場合の双方を含む。また、「実質的に直交方向に延在する」とは、４５°以上で９０°以下の角度範囲にあることを言う。
【発明を実施するための最良の形態】
【００３０】
以下、図面を参照し、本発明に係る実施形態に基づいて本発明を更に詳細に説明する。図１に本発明の第１実施形態に係る照明装置の構成について、各構成部分を展開して示す。図２は、図１の照明装置をII−II線で切った断面で示している。照明装置１０は、液晶表示装置に使用される片面表示方式の直下型バックライト装置であり、反射壁（反射部材）２１を備えることを除いては、図２１、２２を参照して説明した従来のバックライト装置と同様の構造を有している。反射壁の構造を図３に詳細に示した。図３（ａ）は、図１の照明装置の前面側から背面側を見た平面形状を示し、図３（ｂ）は図３（ａ）のＢ−Ｂ線に沿った断面を、図３（ｃ）は図３（ａ）のＣ−Ｃ線に沿った断面をそれぞれ示している。
【００３１】
照明装置１０は、反射板１１に固定された複数の同形状の反射壁２１を備える。反射壁２１は、隣接する２本のランプ１３の間に、ランプ１３の延在方向に等間隔で、且つ相互に整列して配列されている。反射壁２１の反射面は、ランプ１３の延在方向に対して垂直になるように配設されている。
【００３２】
図４に、反射壁２１を拡大して示す。反射壁２１は、反射面４３ａを外側にして二重に折り曲げられた反射部４３と、反射部４３の下端でＬ字状に折り曲げられた支持部４４とを有する。反射部４３及び支持部４４の各露出部分は、例えば反射率が９７％の散乱反射性を有する白色の反射シート４１から成り、反射部４３における反射シート４１の内側、及び支持部４４における反射シート４１の裏面には、接着層４２が形成されている。反射壁２１は、支持部４４の裏面に形成された接着層４２を介して反射板１１に固定されている。反射壁２１の寸法は、例えば、幅Ｗが19.0ｍｍで、高さＨが4.9ｍｍ、反射部４３の厚みＤが0.2ｍｍである。
【００３３】
反射壁２１は、片面に接着層４２が塗布された平面状の反射シート４１を、接着層４２同士が重なるように貼り合わせ、且つ断面がＴ字状になるように先端部を外側に直角に折り曲げることによって形成することが出来る。反射シート４１には、例えばＰＥＴ（Polyethylene Terephthalate）樹脂等の透明樹脂に、光拡散性を有する小径の粒子を拡散したものを用いることが出来る。
【００３４】
図３（ａ）〜（ｃ）に戻り、各部の寸法を例示すると、ランプ１３の半径ｒは3ｍｍで、配列のピッチＬ1は24.0ｍｍである。ランプ１３の中心と反射板１１との距離Ｌ2は3.4ｍｍで、ランプ１３の中心と拡散板１８との距離Ｌ3は8.8ｍｍである。反射壁２１の配列のピッチＬ4は100ｍｍであり、ランプ１３と反射壁２１との離隔距離Ｌ5は1.0ｍｍである。反射壁２１は、ランプ１３から離して配設され、ランプ１３から出射した光が反射壁２１の側面４０によって遮られることを防止している。
【００３５】
図５は、反射壁及びその近傍を示す斜視図である。同図中に符号Ｘで示すように、ランプ１３を点灯させた状態において、ランプ１３から水平方向に向けて出射した光の一部が反射壁２１に入射する。反射壁２１に入射する光は、従来の照明装置（バックライト装置）６０においては、図中に符号Ｙで示すように、隣接するランプ１３の表面に入射し、そこで散乱反射されることによって、ランプ１３直上の発光面２０ａの輝度を更に高めていた。これに対して、本実施形態の照明装置では、反射壁２１の反射面４３ａに入射した光は、反射面４３ａで様々な方向に散乱反射された結果、反射壁２１の近傍の拡散板１８に直接に照射され、或いは、反射板１１で一端反射された後に反射壁２１の近傍の拡散板１８に照射される。
【００３６】
図２４に、従来の照明装置６０において、反射壁２１で反射されることなく隣接するランプ１３の表面に入射して散乱反射される光を示す。図３（ａ）の符号６２は、反射壁２１の反射面４３ａで散乱反射される光を示している。図３（ａ）と図２４との比較により、本実施形態の照明装置１０は、従来の照明装置６０に比して、隣接する２本のランプ１３間の中央６１付近の発光面２０ａにより多くの光を照射させることによって、この付近の輝度を効果的に高めることが出来ることが判る。このため、本実施形態の照明装置１０では、図６に示すように、従来、輝度が低かった隣接する２本のランプ１３間の中央６１付近の発光面２０ａの輝度が高まり、薄型の照明装置においても、発光面２０ａの輝度ムラを効果的に抑制することが出来る。
【００３７】
本実施形態の照明装置では、反射壁２１の寸法や配列の設計に際して、反射壁２１を除く他の構成部分の設計を完成させた後に、或いは既製の照明装置に対して、反射壁２１を設計することが出来るので、輝度ムラを効果的に抑制する反射壁２１の設計を容易に行うことが出来る。更に、拡散板１８にドット印刷が施されていないので、発光面２０ａにおける色度差の発生を防止することが出来る。
【００３８】
図７（ａ）に、第１実施形態の第１変形例に係る照明装置における反射壁の平面形状を、図７（ｂ）に、図７（ａ）の矢視Ｂから見た反射面の正面形状を、図７（ｃ）に、図７（ａ）の矢視Ｃから見た側面形状をそれぞれ示す。本変形例において、反射壁２２は、反射率が９７％の散乱反射性を有する白色の反射面４３ａを有し、且つ頂部から見て表裏の反射面４３ａがくの字状で、中央部が狭幅に形成されている。反射壁２２には、例えばＰＥＴ樹脂等の透明樹脂の表面部分に、光拡散性を有する小径の粒子を拡散したものを用いることが出来る。本変形例の照明装置は、上記を除いては第１実施形態の照明装置と同様の構成を有する。
【００３９】
本変形例では、反射壁２２の各反射面４３ａの角度を変えることによって、第１実施形態における反射壁２１に比して、反射壁２２に入射した光を、隣接する２本のランプ１３間の中央付近へより効率的に照射させることが出来る。
【００４０】
図８（ａ）に、第１実施形態の第２変形例に係る照明装置における反射壁の平面形状を、図８（ｂ）に、図８（ａ）の矢視Ｂから見た反射面の正面形状を、図８（ｃ）に、図８（ａ）の矢視Ｃから見た側面形状をそれぞれ示す。先の変形例では、表裏の反射面４３ａが頂部から見てくの字状であったが、本変形例では円弧状で、中央部が狭幅に形成されている。本変形例の照明装置は、上記を除いては第１変形例の照明装置と同様の構成を有する。本変形例では、各反射面４３ａの曲面の半径の大きさを変えることによって、第１実施形態の反射壁２１に比して、反射壁２３に入射した光を、隣接する２本のランプ１３間の中央付近へより効率的に照射させることが出来る。
【００４１】
図９（ａ）に、第１実施形態の第３変形例に係る照明装置における反射壁の平面形状を、図９（ｂ）に、図９（ａ）の矢視Ｂから見た平面形状を、図９（ｃ）に、図９（ａ）の矢視Ｃから見た平面形状をそれぞれ示す。本変形例において、反射壁２４は、反射面４３ａの中央部の厚みが双方の側縁の厚みよりも小さく、中央部が窪んだ形状を有する。また、側面から見ると、反射面４３ａの頂部が二等辺三角形状の頂点となるように形成されている。本変形例の照明装置は、上記を除いては第１変形例の照明装置と同様の構成を有する。本変形例では、側面から見て、反射面４３ａの頂部が二等辺三角形状の頂点と成るように形成されているため、第１実施形態の第１変形例の反射壁２２に比して、反射壁２４に入射した光を拡散板１８の方向へより効率的に反射させることが出来る。
【００４２】
図１０（ａ）に、第１実施形態の第４変形例に係る照明装置における反射壁の平面形状を、図１０（ｂ）に、図１０（ａ）の矢視Ｂから見た反射面の正面形状を、図１０（ｃ）に、図１０（ａ）の矢視Ｃから見た側面形状をそれぞれ示す。本変形例において、反射壁２５の双方の側縁４５がエッジ状に削り落とされている。また、双方の側縁４５を除いて同じ厚みに形成されている。本変形例の照明装置は、上記を除いては第１変形例の照明装置と同様の構成を有する。本変形例では、双方の側縁４５がエッジ状に削り落とされていることによって、反射壁２５に近接するランプ１３の部分から出射された光を反射壁２５で遮ることなく、隣接する２本のランプ１３間の中央付近へ反射させることが出来る。
【００４３】
図１１（ａ）に、第１実施形態の第５変形例に係る照明装置における反射壁の平面形状を、図１１（ｂ）に、図１１（ａ）の矢視Ｂから見た反射面の正面形状を、図１１（ｃ）に、図１１（ａ）の矢視Ｃから見た側面形状をそれぞれ示す。本変形例において、反射壁２６は、図１０の反射壁２５の形状に加えて、図９の反射壁２４のように、反射壁２６の側面から見ると二等辺三角形状になっている。本変形例では、第４変形例に比して、側縁４５に入射する光を拡散板１８方向に照射することが出来る。
【００４４】
図１２（ａ）に、第１実施形態の第６変形例に係る照明装置における、照明装置の前面側から背面側を見た平面形状を、図１２（ｂ）に図１２（ａ）のＢ−Ｂ線に沿った断面を、図１２（ｃ）に、図１２（ａ）のＣ−Ｃ線に沿った断面をそれぞれ示す。本変形例において、反射壁２７は、図１２（ｃ）に示すように、図３に示した反射壁２１と同様な断面構造を有し、支持部４４の裏側に形成された接着層４２を介して反射板１１に接合されている。また、図１２（ａ）、（ｂ）に示すように、ランプ１３の延在方向に直交する列ごとに一体的に形成され、且つランプ１３の近傍に、ランプ１３に接触しないように略半円状に切り欠かれた切欠き部４６を有する。本変形例では、反射壁２７がランプ１３の延在方向に直交する列ごとに一体的に形成されることによって、反射壁２７の反射板１１への取付けに必要な工数を少なくすることが出来る。
【００４５】
図１３（ａ）に、第１実施形態の第７変形例に係る照明装置における、照明装置の前面側から背面側を見た平面形状を、図１３（ｂ）に、図１３（ａ）のＢ−Ｂ線に沿った断面を、図１３（ｃ）に、図１３（ａ）のＣ−Ｃ線に沿った断面をそれぞれ示す。本変形例において、反射壁２８は、図１３（ｃ）に示すように、反射部４３と、反射部４３の下端で反射部４３に対して略垂直に接続された支持部４４とを有する。反射部４３は、反射壁２８の延在方向に直交する断面が二等辺三角形状を有する。反射壁２８は、また、図１３（ａ）、（ｂ）に示すように、ランプ１３の延在方向に直交する列ごとに一体的に形成され、且つランプ１３の近傍に、ランプ１３に接触しないように略半円状に切り欠かれた切欠き部４６を有する。本変形例の照明装置は、上記を除いては第１実施形態の照明装置と同様の構成を有する。
【００４６】
図１４（ａ）に、第１実施形態の第８変形例に係る照明装置について、図３（ａ）の平面に相当する平面を、図１４（ｂ）に図１４（ａ）のＢ−Ｂ線に沿った断面を、図１４（ｃ）に図１４（ａ）のＣ−Ｃ線に沿った断面をそれぞれ示す。照明装置５０では、ランプ１３を挟んで隣接する反射壁２９がランプ１３の延在方向に、ピッチＬ4の１／２だけずれた位置に配列されている。また、図１４（ｃ）に示すように、反射壁２９は、側面から見ると、二等辺三角形状に形成されている。同図において、二等辺三角形の底辺の長さは例えば1.0ｍｍである。
【００４７】
本変形例の照明装置によれば、反射壁２９がランプ１３を挟んで相互にピッチＬ4の１／２だけずれた位置に配列されることによって、１つの反射壁２９で反射された光が、ランプ１３を挟んでその反射壁２９に隣接する反射壁２９の直上の拡散板１８の領域に照射される。従って、反射壁２９の直上の発光面２０ａの輝度低下を抑制することが出来る。なお、第１実施形態の第１〜５、７、８変形例では反射壁として、例えば散乱反射性を有するように表面を加工した金属、反射性の樹脂材料、又は、樹脂や金属の表面に図３中に示した反射シート４１を貼付したものを用いることも出来る。反射性の樹脂材料としては、例えばＡＢＳ、ＰＣなどの樹脂に白色の染料や酸化チタンなどを混合したものなどがある。また、第１実施形態及び第１実施形態の第１〜８変形例では、反射壁を接着層を介して反射板に固定するものとしたが、機械的に固定しても構わない。
【００４８】
図１５に、第１実施形態の照明装置をバックライト光源として備える、本発明の第２実施形態に係る液晶表示装置の構成について、各構成部分を展開して示す。液晶表示装置１００は、照明装置１０と、照明装置１０上に配設されたパネル部１０１と、パネル部１０１上に配設され、画像の表示面１０２ａを区画するフロントシールド１０２とを備える。パネル部１０１は、液晶パネル１０３と、液晶パネル１０３に接続され、液晶パネル１０３を電気的に駆動させるドライバＩＣ（図示なし）を有する複数のＴＣＰ（Tape Carrier Package）１０４と、ＴＣＰ１０４に接続され、ＴＣＰ１０４に信号を送信する複数の駆動基板１０５とを備える。
【００４９】
本実施形態の液晶表示装置によれば、第１実施形態の照明装置をバックライト装置として備えることによって、表示面１０２ａにおける輝度ムラを抑制し、高い輝度均一性を有する画面表示を行うことが出来る。
【００５０】
図１６に本発明の第３実施形態に係る照明装置の構成について、各構成部分を展開して示す。図１７は、図１６における矢視XVII−XVIIで切った断面を示している。照明装置５１は、液晶表示装置に使用される両面表示方式の直下型バックライト装置であり、ランプ部１２と、ランプ部１２の両脇にランプの延在方向に沿って配設された反射板１１とを備える。ランプ部１２は、第１実施形態におけるランプ部と同様の構成を有し、リターンケーブル１６は、一方の反射板１１の外側を経由してリターン基板１５に接続されている。
【００５１】
照明装置５１は、ランプ１３の延在方向に直交し、且つその両端が反射板１１に固定された複数の反射壁３０を備える。反射壁３０は、ランプ１３と交差する部分に、ランプ１３の直径より大きな直径で円形に切り欠かれた開口部４７を有する。反射壁３０は、ランプ１３の延在方向に等間隔に延在している。
【００５２】
照明装置５１は、また、ランプ部１２の上部及び下部にそれぞれ配設されたランプ支持台１７を備える。ランプ支持台１７は、ランプ１３の断面形状に切り欠かれた複数の切欠き１７ａを備え、各切欠き１７ａの部分でランプ１３を保持することによってランプ１３を支持する。ランプ支持台１７の上部及び下部には、拡散板１８及び光学シート１９が順次に配設されている。光学シート１９の上部及び下部から全体を覆うように、発光面２０ａを区画するバックライトシャーシ２０が配設されている。拡散板１８、光学シート１９、及びバックライトシャーシ２０は、第１実施形態の拡散板、光学シート、及びバックライトシャーシとそれぞれ同様の構成を有している。
【００５３】
反射壁の構造を図１８に詳細に示した。図１８（ａ）に、図１６、１７に示した照明装置について、ランプと拡散板の間を通る拡散板に平行な面で切った断面を示す。図１８（ｂ）は、図１８（ａ）におけるＢ−Ｂ線に沿った断面の一部を示している。反射壁３０は、平板状の反射部４３と反射部４３の両端でＬ字状に折り曲げられた支持部４４とから構成され、支持部４４の裏面で接着層４２を介して反射板１１に接合されている。反射壁３０は白色のＰＥＴ樹脂から成る反射シート４１で構成され、反射シート４１は反射率が９７％の散乱反射性を有する。
【００５４】
本実施形態の照明装置では、ランプ１３を点灯させた状態において、ランプ１３から略水平方向に向けて出射された光の一部が反射壁３０に入射し、反射壁３０によって様々な方向に散乱される。反射壁３０で散乱された光の多くは、反射壁３０の近傍の拡散板１８に向けて反射されるため、従来、最も輝度が低かった隣接する２本のランプ１３間の中央付近の輝度を高くすることが出来る。これによって、双方の発光面２０ａにおける輝度ムラを抑制することが出来る。
【００５５】
図１９に、第３実施形態の第１変形例に係る照明装置の反射壁について、図１８（ｂ）の断面に相当する断面を示す。本変形例において、反射壁３１は、開口部４７から反射部４３の一方の縁部４９に達する切込み４８を有する。本変形例の反射壁３１によれば、ランプ１３を切込み４８を介して開口部４７に挿入することが出来るので、照明装置の組立てに要する工数を少なくすることが出来る。
【００５６】
図２０に、本発明の第４実施形態に係る、第３実施形態の照明装置をバックライト光源として備える液晶表示装置の構成について、各構成部分を展開して示す。液晶表示装置１０６は、第３実施形態の照明装置５１と、照明装置５１の上部及び下部の発光面２０ａ上に配設された液晶パネル１０１と、液晶パネル１０１上の上部及び下部に液晶パネル１０１上の全体を覆うように配設され、画像の表示面１０２ａを区画するフロントシールド１０２とを備える。液晶パネル１０１及びフロントシールド１０２は、第２実施形態における液晶パネル及びフロントシールドとそれぞれ同様の構成を有している。本実施形態の液晶表示装置によれば、第３実施形態の照明装置を備えることによって、双方の表示面１０２ａおける輝度ムラを抑制し、高い輝度均一性を有する画面表示を行うことが出来る。
【００５７】
なお、本発明の照明装置は、液晶表示装置等のバックライト装置に限らず、室内等の一般的な照明装置に適用することが出来る。また、本発明の照明装置は、直線状のランプを備えるものに限らず、例えば円形のランプを同心円状に備える照明装置に適用することも出来る。
【００５８】
照明装置において、複数のランプがランプの延在方向に整列して配列される場合には、隣接する２本のランプの双方の隣接する端部付近の発光量が低下するので、この端部付近の発光面において輝度が低くなる輝度ムラが生じる。このような場合には、上記隣接する２本のランプの双方の隣接する端部に隣接し、ランプの延在方向と交差する方向に反射面を有する反射部材を配設することによって、上記端部付近の発光面の輝度を高めて、発光面の輝度ムラを効果的に抑制することが出来る。
【００５９】
以上、本発明をその好適な実施形態に基づいて説明したが、本発明に係る照明装置及び液晶表示装置は、上記実施形態の構成にのみ限定されるものではなく、上記実施形態の構成から種々の修正及び変更を施した照明装置及び液晶表示装置も、本発明の範囲に含まれる。
【図面の簡単な説明】
【００６０】
【図１】本発明の第１実施形態の照明装置の構成について、各構成部分を展開して示す斜視図である。
【図２】図１の矢視II−IIで切った断面を示す断面図である。
【図３】図３（ａ）は、図１の照明装置について、前面側から背面側を見た平面図であり、図３（ｂ）は、図３（ａ）のＢ−Ｂ線に沿った断面を、図３（ｃ）は、図３（ａ）のＣ−Ｃ線に沿った断面をそれぞれ示す断面図である。
【図４】図３の反射壁を拡大して示す斜視図である。
【図５】反射壁の近傍の構成を示す斜視図である。
【図６】図３（ａ）のＢ−Ｂ線に沿った、発光面の輝度分布を示すグラフである。
【図７】図７（ａ）は、第１変形例の照明装置における反射壁の構成を示す平面図であり、図７（ｂ）及び図７（ｃ）は、図７（ａ）の矢視Ｂ及び矢視Ｃから見た平面図である。
【図８】図８（ａ）は、第２変形例の照明装置における反射壁の構成を示す平面図であり、図８（ｂ）及び図８（ｃ）は、図８（ａ）の矢視Ｂ及び矢視Ｃから見た平面図である。
【図９】図９（ａ）は、第３変形例の照明装置における反射壁の構成を示す平面図であり、図９（ｂ）及び図９（ｃ）は、図９（ａ）の矢視Ｂ及び矢視Ｃから見た平面図である。
【図１０】図１０（ａ）は、第４変形例の照明装置における反射壁の構成を示す平面図であり、図１０（ｂ）及び図１０（ｃ）は、図１０（ａ）の矢視Ｂ及び矢視Ｃから見た平面図である。
【図１１】図１１（ａ）は、第５変形例の照明装置における反射壁の構成を示す平面図であり、図１１（ｂ）及び図１１（ｃ）は、図１１（ａ）の矢視Ｂ及び矢視Ｃから見た平面図である。
【図１２】図１２（ａ）は、第６変形例の照明装置について、照明装置の前面側から背面側を見た平面図であり、図１２（ｂ）は、図１２（ａ）のＢ−Ｂ線に沿った断面を、図１２（ｃ）は、図１２（ａ）のＣ−Ｃ線に沿った断面をそれぞれ示す断面図である。
【図１３】図１３（ａ）は、第７変形例の照明装置について、照明装置の前面側から背面側を見た平面図であり、図１３（ｂ）は、図１３（ａ）のＢ−Ｂ線に沿った断面を、図１３（ｃ）は、図１３（ａ）のＣ−Ｃ線に沿った断面をそれぞれ示す断面図である。
【図１４】図１４（ａ）は、第８変形例の照明装置について、前面側から背面側を見た平面図であり、図１４（ｂ）は、図１４（ａ）のＢ−Ｂ線に沿った断面を、図１４（ｃ）は、図１４（ａ）のＣ−Ｃ線に沿った断面をそれぞれ示す断面図である。
【図１５】本発明の第２実施形態の液晶表示装置の構成について、各構成部分を展開して示す斜視図である。
【図１６】本発明の第３実施形態の照明装置の構成について、各構成部分を展開して示す斜視図である。
【図１７】図１６の矢視XVII−XVIIで切った断面を示す断面図である。
【図１８】図１８（ａ）は、図１６、１７の照明装置について、ランプと拡散板の間を通る拡散板に平行な面で切った断面を示す断面図であり、図１８（ｂ）は、図１８（ａ）のＢ−Ｂ線に沿った断面の一部を示す断面図である。
【図１９】第３実施形態の第１変形例に係る照明装置について、図１８（ｂ）の断面に相当する断面を示す断面図である。
【図２０】本発明の第４実施形態の液晶表示装置の構成について、各構成部分を展開して示す斜視図である。
【図２１】従来の照明装置（バックライト装置）の構成について、各構成部分を展開して示す斜視図である。
【図２２】図２１の矢視XXII−XXIIで切った断面を示す断面図である。
【図２３】従来の照明装置における、発光面の輝度分布を示すグラフである。
【図２４】従来の照明装置において、反射壁で反射されることなく隣接するランプの表面に入射して散乱反射される光を示す平面図である。
【符号の説明】
【００６１】
１０，５０，５１，６０：照明装置（バックライト装置）
１１：反射板
１２：ランプ部
１３：ランプ
１４：インバータ
１５：リターン基板
１６：リターンケーブル
１７：ランプ支持台
１７ａ：切欠き
１８：拡散板
１９：光学シート
２０：バックライトシャーシ
２０ａ：発光面
２１，２２，２３，２４，２５，２６，２７，２８，２９，３０，３１：反射壁
４０：（反射壁の）側面
４１：反射シート
４２：接着層
４３：反射部
４３ａ：反射面
４４：支持部
４５：側縁
４６：切欠き部
４７：開口部
４８：切込み
４９：縁部
６１：隣接する２本のランプ間の中央
１００，１０６：液晶表示装置
１０１：液晶パネル
１０２：フロントシールド
１０２ａ：表示面
１０３：パネル部
１０４：ＴＣＰ
１０５：駆動基板
【図１】
2006114366.tif 000003
【図２】
2006114366.tif 000004
【図３】
2006114366.tif 000005
【図４】
2006114366.tif 000006
【図５】
2006114366.tif 000007
【図６】
2006114366.tif 000008
【図７】
2006114366.tif 000009
【図８】
2006114366.tif 000010
【図９】
2006114366.tif 000011
【図１０】
2006114366.tif 000012
【図１１】
2006114366.tif 000013
【図１２】
2006114366.tif 000014
【図１３】
2006114366.tif 000015
【図１４】
2006114366.tif 000016
【図１５】
2006114366.tif 000017
【図１６】
2006114366.tif 000018
【図１７】
2006114366.tif 000019
【図１８】
2006114366.tif 000020
【図１９】
2006114366.tif 000021
【図２０】
2006114366.tif 000022
【図２１】
2006114366.tif 000023
【図２２】
2006114366.tif 000024
【図２３】
2006114366.tif 000025
【図２４】
2006114366.tif 000026